Podtech/llm-jp-corpus-v4-ja_patent huggingface dataset:
(57)【要約】【課題】既設の汚水排水管に設置する水洗用便器でありながら取り外す際に溜水槽に溜まった水がこぼれたり、あるいは取り除く必要がなく、しかも床面を傷つける恐れがない仮設便器を提供すること。【解決手段】上記課題を解決するために請求項１記載の仮設便器は、便座部を設けた便器収納体に便器を収納せしめた仮設便器において便器と連通する排便管を可撓なものとした。また、請求項２記載の仮設便器は請求項１記載の仮設便器において便器収納体の床との接触面に防臭パッキンを敷設した。【選択図】　図１
2004073474.tif 000002
【特許請求の範囲】
【請求項１】
便座部を設けた便器収納体に便器を収納せしめた仮設便器において、
便器と連通する排便管を可撓としたことを特徴とする仮設便器。
【請求項２】
便器収納体の床との接触面に防臭パッキンを敷設したことを特徴とする請求項１記載の仮設便器。
【発明の詳細な説明】
【０００１】
【発明の属する技術分野】
本発明は仮設便器、より詳しくは住宅のトイレ改装工事等の工事期間の短い工事に利用される仮設便器に関する。
【０００２】
【従来の技術】
建築工事現場、土木工事現場等で利用される仮設便器としては、屋外設置タイプと室内用ポータブルタイプとがある。ここに屋外設置タイプは主に新築工事など工期の長い場合に利用されるものであり、室内用ポータブルタイプはトイレ改装工事など工期の短い場合に利用されるものである。
【０００３】
【発明が解決しようとする課題】
従来の屋外設置タイプの仮設便器には搬入搬出経費やリース料といった金銭的負担の大きさがある。
【０００４】
また、室内用ポータブルタイプの仮設便器は、便器下部に設置したポリバケツに排泄物を溜める仕組みになっている。そしてポリバケツに溜まった排泄物は、都度屋外のマンホールなどに捨てるものである。
【０００５】
ところが、この作業は作業者に抵抗感が生じ易いこと、夜間には作業しづらいことという問題点がある。
【０００６】
そこで、市販水洗用便器を既設の汚水排水管に仮据え付けするという方法が採られることがある。この場合、排泄物は汚水排水管に直接流しさられるので上述の作業者の抵抗感や夜間の作業困難性という問題点は解消される。
【０００７】
ところが、市販水洗用便器には汚水排水管からの臭気を防ぐため便器内に溜水槽が設けられている。そして市販水洗用便器を取り外す際に、この溜水槽に溜まった水がこぼれたり、あるいは水がこぼれることを防ぐために溜水を取り除いてから取り外さなければならないという難点がある。
【０００８】
また、市販水洗用便器を仮据えつけすると、床面に傷がついてしまうという難点もある。
【０００９】
そこで、本発明は既設の汚水排水管に設置する水洗用便器でありながら取り外す際に溜水槽に溜まった水がこぼれたり、あるいは取り除く必要がなく、しかも床面を傷つける恐れがない仮設便器を提供することを目的とする。
【００１０】
【課題を解決するための手段】
上記課題を解決するために請求項１記載の仮設便器は、便座部を設けた便器収納体に便器を収納せしめた仮設便器において便器と連通する排便管を可撓なものとした。
【００１１】
また、請求項２記載の仮設便器は請求項１記載の仮設便器において便器収納体の床との接触面に防臭パッキンを敷設した。
【００１２】
以下、かように構成される本発明が如何に作用して課題を解決するかを述べる。
【００１３】
図１は本発明の概略斜視図であり、図２は同正面図であり、図３は同右側面図であり、図４は本発明に係る仮設便器に水を注いでいる図であり、図５は可撓管を伸直させた図である。
【００１４】
本発明に係る仮設便器は図１に示すように、便器収納体１上に便座部２が設けられたものである。便器収納体１内には図２に示すように便器３が収納設置されている。この便器３には排便管４が連通された状態で連結されている。そして、この排便管４は既設の汚水排水管５に連通されている。
【００１５】
本発明に係る仮設便器においても、汚水排水管からの臭気を防ぐために便器内に溜水槽が設けられている。この溜水槽を設けるために、図２等に示すように排便管４が便器３と連結された部分からいったん上部に弯曲し、後下降形成され既設の汚水排水管５に連結されるのである。
【００１６】
ところが本発明においては排便管４が可撓なものであるが故に、排便管４の上方の弯曲部を押し下げれば図５に示すように溜水槽を形成する上方向への弯曲部を解消せしめることが可能である。これにより溜水槽内の水を汚水排水管５に流し去ることが可能となるのである。
【００１７】
また、本発明に係る仮設便器は、図２等に示すように便器収納体１の床との接触面に防臭パッキン６が敷設されている。この防臭パッキン６により便器収納体１の底面が床面に接することがなくなり、よって、床面が傷つくことを防止できるのである。
【００１８】
かようにして本発明によれば既設の汚水排水管に設置する水洗用便器でありながら取り外す際に溜水槽に溜まった水がこぼれたり、あるいは取り除く必要がなく、しかも床面を傷つける恐れがない仮設便器を提供することが可能となるのである。
【００１９】
【発明の実施の形態】
以下、好ましい発明の一実施形態につき図面を参照しながらのべる。
【００２０】
本発明に係る仮設便器は図１に示すように、略箱状の便器収納体１上に通常の洋式便所に設けられているものと類似の形状を有する便座部２が設けられている。
【００２１】
この便座部２は起倒自在に設けることが好ましい。男性の小便排泄時に便座部２を起立させるためである。
【００２２】
便器収納体１内には、図２や図３に示すように便器３が収納されている。この便器３には排便管４が連通されている。この排便管４は可撓な軟性樹脂材を使用して形成されている。
【００２３】
便器収納体１の底面の床との接触面には防臭パッキン６が敷設されている。この防臭パッキン６はゴム体で形成されるものである。
【００２４】
本発明の仮設便器の使用方法は便器３内に排泄した後に図４に示すように便器３内に水を流し込み、この水で排泄物を排便管４から既設の汚水排水管５へと流し去るものである。
【００２５】
【発明の効果】
本発明は以上のように構成されていることから既設の汚水排水管に設置する水洗用便器でありながら取り外す際に溜水槽に溜まった水がこぼれたり、あるいは取り除く必要がなく、しかも床面を傷つける恐れがない仮設便器を提供することが可能となるのである。
【図面の簡単な説明】
【図１】本発明の概略斜視図。
【図２】同正面図。
【図３】同右側面図。
【図４】本発明に係る仮設便器に水を注いでいる図。
【図５】可撓管を伸直させた図。
【符号の説明】
１・・便器収納体　　　２・・便座部
３・・便器　　　４・・排便管
５・・汚水排水管　　　６・・防臭パッキン
【図１】
2004073474.tif 000003
【図２】
2004073474.tif 000004
【図３】
2004073474.tif 000005
【図４】
2004073474.tif 000006
【図５】
2004073474.tif 000007
(57)【要約】【課題】把持体に内蔵される電池及びモーターにより、ブラシ体の植毛部に振動を与えブラッシングを行う電動シューズブラシを提供する。【解決手段】本発明は、ブラシ体の植毛部に振動を与えるために、シューズブラシの把持体に電池及びモーターを設けたことを特徴とする。【選択図】　図１
2004073768.tif 000002
【特許請求の範囲】
【請求項１】
ブラシ体（６）の植毛部（５）に振動を与え、ブラッシングを行うために、把持体（１）に電池（２）及びモーター（３）を設けた電動シューズブラシ。
【発明の詳細な説明】
【０００１】
【発明の属する技術分野】
この発明は、把持体に内蔵される電池及びモーターにより、ブラシ体の植毛部に振動を与え、ブラッシングを行う電動シューズブラシに関するものである。
【０００２】
【従来の技術】
従来、運動靴やスニーカー、上履きなどを洗う際には、手のみの力によりシューズブラシを動かし洗浄していた。
【０００３】
【発明が解決しようとする課題】
そのため、次のような欠点があった。
（イ）手のみの力により洗浄するため、汚れを除去するのには時間がかかった。
（ロ）洗う靴の数が多い時、汚れのひどい時には、長時間洗い続けることになり、手が疲れ労力をともなった。
（ハ）幼児や老人など力の弱い者が使用する場合は、よく洗えないことがあり、手間がかかっていた。
（ニ）洗浄の際には、力を入れる部分が集中し、シューズブラシの植毛部の一部にへたりが生じていた。
【０００４】
【課題を解決するための手段】
電力によるブラッシングを行うために、ブラシ体（６）の植毛部（５）に振動を与える電池（２）及びモーター（３）を把持体（１）に設ける。
本発明は、以上の構成からなる電動シューズブラシである。
【０００５】
【発明の実施の形態】
以下、本発明の実施の形態について説明する。
【０００６】
電動シューズブラシは、把持体（１）の一側にブラシ体（６）を着脱可能に設けるとともに、把持体（１）内に駆動源となる電池（２）及びモーター（３）を内蔵しており、その先端には、モーター（３）の駆動により振動する出力軸（７）が突出している。把持体（１）の他側には駆動スイッチ（８）を備えた蓋体（９）を着脱可能に設けて構成されている。モーター（３）は、公知の動力駆動機構であり、モーター（３）は駆動スイッチ（８）を介して接続され、電池（２）から電力供給され運動するようになっている。
【０００７】
この把持体（１）の一側には、ブラシ体（６）を取り付けるための把持側嵌合突部（１０）が形成されている。
【０００８】
また、ブラシ体（６）には、植毛部（５）とブラシ側嵌合窪部（１１）とが設けられている。そして、ブラシ体（６）は、植毛部（５）を靴の内部に差し入れやすくするため、柄部（１２）には適当な角度つけ、ブラシ台（４）の先端には適度な丸みをつけている。
【０００９】
植毛部（５）は、ブラシ体（６）の先端側に設けられ、複数の線状部材を有し、適当な角度をつけた植毛により、靴の内部先端までのブラッシングを可能にしている。
【００１０】
ブラシ体（６）を把持体（１）に取り付ける際には、ブラシ側嵌合窪部（１１）を把持側嵌合突部（１０）に装着する。
【００１１】
ブラシ体（６）は着脱可能なため、靴の大きさに合わせた植毛面積の違うブラシ体（図示せず）との交換、靴の飾り部分や縫い目部分などの細部を洗浄する際に、植毛部を細長く形成した別のブラシ体（図示せず）を取り付けることも可能である。
【００１２】
本発明は、以上のような構造で、これを使用するときには、駆動スイッチ（８）を投入すると、電動シューズブラシの把持体（１）内に収容された電池（２）及びモーター（３）により、出力軸（７）を運動させ、その振動はブラシ体（６）及び植毛部（５）に伝達されブラッシング運動を実行するようになる。そして、ユーザーにより植毛部（５）を靴の表面に当てられ洗浄作業に使用される。
【００１３】
【発明の効果】
シューズブラシの把持体に電池及びモーターを内蔵することにより、電力でブラッシングを行えるため、手のみの力で動かしていた従来のブラシとは違い、手が疲れることがなく、洗う靴の数が多い時や汚れがひどい時であっても、労力や時間を最小限にした作業ができる。
そして、力を必要としないため、幼児や老人など力の弱い者でも使用しやすく、楽に作業を行うことができる。
また、一部分に力が集中しないため、ブラシの植毛部にへたりが生じることもない。
さらに、ブラシ体の交換ができることから、靴の形状や部分に合わせた効率の良い洗浄作業を可能にし、また、経年使用により磨耗や劣化が生じた場合でも、新しいブラシに取替えることにより、常に快適な洗浄作業が可能である。
【図面の簡単な説明】
【図１】本発明の断面図
【図２】本発明の組立斜視図
【図３】本発明の使用状態を示す側面図
【図４】本発明の使用状態を示す平面図
【符号の説明】
（１）把持体
（２）電池
（３）モーター
（４）ブラシ台
（５）植毛部
（６）ブラシ体
（７）出力軸
（８）駆動スイッチ
（９）蓋体
（１０）把持側嵌合突部
（１１）ブラシ側嵌合窪部
（１２）柄部
【図１】
2004073768.tif 000003
【図２】
2004073768.tif 000004
【図３】
2004073768.tif 000005
【図４】
2004073768.tif 000006
(57)【要約】【目的】褥瘡（床ずれ）では皮下に洞穴状にポケットが形成されていることが多い。本発明は褥瘡のポケットの形状を簡単，かつ正確に計測・記録する，褥瘡ポケットメジャーに関するものである。本発明品によって，褥瘡のポケット範囲の計測と記録が誰にでも簡単に出来る。【構成】本発明品の構成は（イ）褥瘡のポケット内に挿入する消息子（ゾンデ），（ロ）大きさを計測する計測用メジャー，から構成されており，この２者を根元でピンセット型に一体化させたものである。なお計測用メジャーの先端にはマジックやフエルトペンなどのペン先を入れる穴を設置しポケット範囲を皮膚の上から簡単に描画できる。【選択図】図２
2004073769.tif 000002
【特許請求の範囲】
【請求項１】
本発明は
（イ）褥瘡のポケット内に挿入する消息子（ゾンデ），
（ロ）大きさを計測する計測用メジャー，
（ハ）（ロ）の先端にはマジックやフエルトペンなどのペン先を入れる穴を設置，
（ニ）（イ）と（ロ）を根元でピンセット型に一体化させる。
以上のごとく構成されたピンセット型の褥瘡ポケットメジャーに関するものである。
【発明の詳細な説明】
【０００１】
【産業上の利用分野】
褥瘡（床ずれ）では皮下に洞穴状にポケットが形成されていることが多い。
この発明は，褥瘡のポケットの形状を簡単，かつ正確に計測・記録する装置に関するものである。
【０００２】
【従来の技術】
褥瘡の治療が奏効すればポケットが縮小し，逆に病状の悪化によりポケットが拡大するのでポケットの大きさを計測することは日常診療に不可欠である。
従来，ポケットの大きさを測ろうとした場合，定規などを挿入したが，不正確な記録しか出来なかった。またポケット内が細菌で汚染されているため不潔で、院内感染の恐れもあった。
【０００３】
【本発明が解決しようとする課題】
そこで，
▲１▼褥瘡のポケットの大きさを正確に簡単に計測する。
▲２▼細菌汚染されたポケット内を探るため，感染防止対策が必要。
▲３▼計測結果を正確に記録できることが望ましい。
の３項目を解決する計測装置を発明した。
【０００４】
【課題を解決するための手段】
本発明の構成を説明すると，
（イ）褥瘡のポケット内に挿入する消息子（ゾンデ），
（ロ）大きさを計測する計測用メジャー，
（ハ）（ロ）の先端にはマジックやフエルトペンなどのペン先を入れる穴を設置，
（ニ）（イ）と（ロ）を根元でピンセット型に一体化させる。
以上のごとく構成する。
【０００５】
【作用】
本発明の作用を述べると，
▲１▼まず消息子（ゾンデ）側を褥瘡のポケット内に入れ最深部を探る。
▲２▼最深部に達すると皮膚面には計測用メジャーが設置してあり，最深部からポケット入り口までの距離を計測する。消息子と計測用メジャーをピンセット型に一体化させることで探査と計測が同時に出来る。
▲３▼さらに計測メジャーの先端にマジックインキやフェルトペンなどのペン先を入れる穴を設置しているため，計測と同時にポケット範囲を皮膚の上から描画してポケット範囲を正確に記録できる。
【０００６】
【発明の効果】
だから，本発明品の利点は，
▲１▼ピンセット型に一体化しているため操作性が良い。
▲２▼簡単、かつ正確にポケット範囲を計測できる。
▲３▼ポケットの範囲を描画できるので，写真撮影も可能で，患者説明や治療効果の判定に適している。
▲４▼ピンセットとして使えるため、消毒処置と計測が一本で出来る。
高齢化社会を迎えて，今後，褥瘡患者はますます増加するであろう。褥瘡のポケットを正確に計測し記録する本発明の効果は，褥瘡の適正な治療効果の判定・記録に不可欠である。
【図面の簡単な説明】
【図１】構成図
本発明の構成を，表面図・側面図・裏面図で表す。
消息子（１）と計測用メジャー（２）がピンセット型に一体化している。
【図２】使用図
実際の褥瘡に用いた際の使用図を示す。
手で本発明品を把持して，褥瘡の洞穴（点線）を計測している様子である。
【図３】使用の断面図
本発明品を使用している断面図を示す。
計測用メジャー（２）に設置した描画用穴（３）からペン先を入れ，皮膚表面に洞穴の大きさを描画する。
【図１】
2004073769.tif 000003
【図２】
2004073769.tif 000004
【図３】
2004073769.tif 000005
(57)【要約】【課題】全身保温効果毛布の本来的目的は、室内温度に左右されず、自らの体温をもって毛布の保温効果を利用し、より快適な温度を維持することによって快適な睡眠を得、身体の疲れや心の癒しを図り明日の活力を満たすことである。人間生活において、快適な睡眠は極めて重要なものであるが、老人や身体的不自由者においては、自らの体温維持が困難な人も多くおりいる。冷えによって十分な睡眠が得られなくなる。又、肩痛で通称言われている四十肩、五十肩の治療や予防には特に、肩の保温が重要とも言われている。既製の寝具毛布は、形状的に四角形であることから、襟元は平行となり両肩を覆う状態ではなく、両肩を覆い保温することは無理な形状にある。そこで、襟元部分の形状を変えた全身保温効果毛布によって、肩部の保温を図りながら体全体を快適な温度に保ち、熟睡を得ることによって、健康な生活が営まれることを目的として、これを達成するものである。【解決手段】既製の寝具毛布の襟部の形状を改良し、肩部の冷えることを防ぎ、全身の保温を効果的にし、より十分な快眠が得られる寝具毛布とする。【選択図】　　図１
2004073767.tif 000002
【特許請求の範囲】
【請求項１】
寝具用毛布の襟部分の構造を改良するもので、就寝する者の両肩を保温し、その効果を以て全身の保温効果を高める構造である。
【請求項２】
請求項１の、全身保温効果毛布は、襟の部分をゆるやかに後退させ、寝る人の首及びあご等襟の部分を圧迫しない形状に改良、これによって両方の肩を覆うことができる構造である。
【発明の詳細な説明】
【０００１】
【発明の属する技術分野】
本発明は、毛布を使用して就寝する者の両肩を温めることによって、全身の保温効果を高めることを目的とした寝具用具として発明したものである。既製の寝具用毛布の襟部の形状を改良するもので、従来、両肩を覆うには構造的に無理な形状を改良し、首やあご部分等に息苦しさを感じさせないで十分な保温効果を生じさせる構造とした製造方法である。
【０００２】
【従来の技術】
従来の寝具は、敷き布団、掛け布団に限らず毛布やシーツに至る全ての寝具の基本的な形状は四角形であった。人は就寝時、敷き布団と掛け毛布又は掛け布団の間に入る。当然、毛布や布団の襟の部分は水平であることから、体に掛かる布団や毛布は、首及びあごの部分で止まるため、毛布は十分に両肩を覆うまで掛からない。言い換えれば、掛け毛布と敷き布団との間には隙間が生じるため、両肩を十分に覆うことができない。このような従来の技術による形状から、両肩が冷えることとなり体全体の保温が十分でない状況となる構造であった。
【０００３】
【発明が解決しようとする課題】
既製の布団及び毛布等寝具の基本形は四角形であることから、形状的に両肩を覆うことができない。特に、室内の気温が低い場合は両肩の冷えは相当のものとなる。又、両肩を無理に覆うとするならば、首及びあごの下や顔に毛布が入ったり又はかぶさる状態となる。このことは、息苦しさや嫌気感を伴い快適な睡眠が妨げられることが問題となっている。
【０００４】
一般的に、中高年齢者と言われる世代では、通称、四十肩、五十肩と言われる肩の痛みで悩んでいる者はかなりいる。その多くは長期間にわたり肩の痛みが取れずに苦しんでいる。その対処方法として、痛む肩を温めることが早期に治癒する一方法とも言われている。又肩を温めることによって痛みが和らいだり、癒しの効果があると言われている。更に、高齢者においては日常の就寝において、肩口が冷えるのは体全体が暖まらず極めて苦痛であり満足できる睡眠が得られないと言った状況になることが問題となっている。
【課題を解決するための手段】
【０００５】
この課題を解決するため、毛布に就寝者の襟がかかる部分をゆるやかに後退させ、後退させた分、両肩に毛布が覆うことができることによって、両肩の保温と合わせ、首、あご部分等襟部の息苦しさや、毛布が顔にかぶさることによる嫌気感等が解決できる。更に、肩に痛みがある者に対しては苦痛を和らげたり癒したりすることができ、快適な睡眠が得られることで問題を解決できる。
【発明の実施の形態】
【０００６】
発明の実施の形態を図面を参照して説明する。
図１において、全身保温効果毛布の形状である。
図２において、両肩部を覆い、全身の保温効果を高める状況図である。
【０００７】
既製の寝具用毛布は、襟もと部と足先部に区別がないため、時には足先部が襟元となることがあり、衛生上問題が生じることもあったが、全身保温効果毛布でこれを解決できる。
【発明の効果】
本発明は、以上説明したように構成されているので、以下に記載されるような効果を奏する。
【０００８】
両肩の保温が図れることから肩部が冷えることなく体全体の保温が適正に保たれる。
【０００９】
本発明品の襟元部分の形状から、首やあご下の息苦しさや、顔に毛布が掛かることがないため嫌気感がない。
【００１０】
既製の寝具毛布は、襟元部と足先部との区別が無く、時には足先部が襟元部となるなど、衛生上問題があったがこれを解消できる。
【００１１】
自から健康的な保温管理が出来ない高齢者や身体不自由者の体温を適正に維持することができる。
【００１２】
肩痛で一般的に称される、四十肩、五十肩の療法として保温がその効果があるとされている。又、その肩痛を予防するものとして日常の保温は大切なものとされており、精神的癒し感を得られる。
【図面の簡単な説明】
【図１】全身保温効果毛布の形状平面図
【図２】既存毛布を掛けた就寝者の頭部側の肩部露出状況図
【図３】就寝者が全身保温効果毛布を掛けた頭部側状況図
【符号の説明】
１　全身保温効果毛布
２　全身保温効果毛布の襟部分の切り込み
３　毛布ふちとり部
４　既存毛布
５　就寝者頭部
６　肩露出部
７　枕
８　敷き布団
【図１】
2004073767.tif 000003
【図２】
2004073767.tif 000004
【図３】
2004073767.tif 000005
(57)【要約】【課題】便器の便座カバーを、緩衝梱包材や断熱材に使用されている発泡ポリスチレンを使って作った、電気暖房の要らない便座カバーを提供する。【解決手段】便器（３）蓋（４）便座（２）からなる便器の便座（２）に緩衝梱包材や断熱材に使用されている発泡ポリスチレンを使って作った便座カバー（１）を設けたことを特徴とする。【選択図】　図１
2004073764.tif 000002
【特許請求の範囲】
【請求項１】
便器（３）の上の便座（２）の上に緩衝梱包材や断熱材に使用されている、発泡ポリスチレンを使って作った便座カバー（１）を特徴とする便座カバー。
【発明の詳細な説明】
【０００１】
【発明の属する技術分野】
この発明は、便所使用時に快適に便器の便座に座ることができる発泡ポリスチレンの便座カバーに関するものである。
【０００２】
【従来の技術】
従来、寒い季節、便所使用時に便座に座るのを快適にするために電気暖房を使用したり、繊維製便座カバーを使用していた。
【０００３】
【発明が解決しようとする課題】
そのために、次のような欠点があった。
（イ）便器の便座に備え付けてある電気暖房を利用すると、便所使用時に電源スイッチを入れても短時間では暖かくならず、効果がない、そのために、使用しない時間から電源スイッチを入れて待機していた、そのために資源の浪費をしていた。
（ロ）便器の繊維製便座カバーだけでは寒い季節には冷たく、座るのが苦痛であった。
本発明は、これらの欠点を解決するためになされたものである。
【０００４】
【課題を解決するための手段】
便器（３）の上の便座（２）の上に、緩衝梱包材や断熱材に使用されている発泡ポリスチレンを使って作った便座カバー（１）を使うと、寒い季節でも、便座（２）が体温を奪わないので、快適に便所を使用することができる。あるいは、水を吸収しないので、洗浄も簡単で、乾燥させる必要もない。人が座ると発泡ポリスチレンを使って作った便座カバー（１）は、クッション役の効果と、蓋（４）を閉じるとき、蓋（４）と便座（２）の重合の衝撃の緩和の効果もある。
本発明は、以上の構成からなる発泡ポリスチレンを使った便座カバーである。
【０００５】
【発明の実施の形態】
以下、本発明の実施の形態について説明する。
便器（３）上の便座（２）の上に緩衝梱包材や断熱材に使用されている発泡ポリスチレンを使って作った便座カバー（１）をとりつける。
【０００６】
【発明の効果】
本発明は、自重も軽く、価格も安価で、電気資源も節約できて、人の肌にもやさしく、蓋を閉じるとき蓋と便座の重合の衝撃の緩和をし、便所を快適に使用することができる。
【図面の簡単な説明】
【図１】本発明の斜視図
【符号の説明】
（１）　便座カバー
（２）　便座
（３）　便器
（４）　蓋
【図１】
2004073764.tif 000003
(57)【要約】　　　（修正有）【課題】装飾用のカーテンなどを取り付ける場合，従来の棒を組紐に替えて食器棚など木枠付きガラスの内側の隙間が特に少ない扉の部分にも取付けが簡単にできる様にする、組紐架設金具を提供する。【解決手段】先端部１傾斜部２組紐保持部３斜め補強部４を設け、台座７と一体の型抜きをした組紐架設金具６。【選択図】　図１
2004073765.tif 000002
【特許請求の範囲】
【請求項１】
先端部（１）傾斜部（２）組紐保持部（３）斜め補強部（４）を設けた、組紐架設金具（６）。
【発明の詳細な説明】
【０００１】
【産業上の利用分野】
本発明は、カーテンを紐で吊着するための金具に関するものである。
【０００２】
【従来の技術】
従来の方法は、枠に直接ブラケットか棒受けなどを固定するか、吸盤をガラス面に取付けて、木、竹等を用いて吊着する方法があるが、コンパクトに取付けが出来ず、表から見た場合全くインテリア性に欠けているため使用されていないのが現実である。
【０００３】
【発明が解決しようとする課題】
木枠にガラスなどをはめ込んだ食器棚、書棚などの扉の部分に小さいカーテンを吊着するために、コンパクトに取付けが出来ることを課題とした。
【０００４】
【課題を解決しようとするための手段】
上記目的を達成するために、本発明は組紐（５）を吊り下げ棒の替わりに使用し、その組紐（５）を架設するため、金具には貫通させる先端部（１）を設け、抜け落ちないように波型の組紐保持部（３）を設け、台座（７）と一体の型抜きをして斜め補強部（４）をＵ字形の形状に曲げた。
【０００５】
【作用】
組紐（５）の綾組織は縦横に引っ張れば多少伸縮し隙間が出来る特長が有る、その事を利用するため組紐架設金具（６）の先端に先端部（１）を設けて組紐（５）の本体を貫通させ傾斜部（２）により紐の隙間を広げながら組紐保持部（３）で保持される状態になる。
【０００６】
組紐（５）の長さ調節は、左右の組紐架設金具（６）で架設時、伸ばしきった状態まで引っ張りながら先端部（１）を貫通させ架設するため、組紐（５）の長さ以内で有ればどの位置でも長さ調節ができることになる。
【０００７】
先端部（１）が組紐（５）を貫通する時、傾斜部（２）の組紐（５）を傾斜方向に多少引っ張る状態になりより強く張設ができることになる。
【０００８】
組紐保持部（３）の波型の部分にて組紐（５）を保持する位置を波型の上部もしくは下部に保持位置を移動することでカーテンの全体の上下及び裾の位置を左右に調整することが容易にできる。
【０００９】
斜め補強部（４）は組紐（５）を組紐保持部（３）に張設した状態で左右に引っ張られるため、その張力に対する補強のためでその張力に抵抗することで組紐（５）が保持される。
【００１０】
【実施例】
組紐架設金具（６）には組紐（５）の両端に使用するため、左側仕様と右側仕様のそれぞれ対称に先端部（１）傾斜部（２）組紐保持部（３）斜め補強部（４）を設け、台座（７）からの立ち上げ部の斜め補強部（４）を、先端部（１）傾斜部（２）組紐保持部（３）と台座（７）が平行になるように斜め補強部（４）をＵ字型の形状に曲げ、先端部（１）が上部に来るように木枠付きガラス扉（８）のカーテン（９）の取付け位置の木枠部分に粘着剤で固定した。
【００１１】
組紐（５）の綾組織はタテ及びヨコに引っ張ると伸縮し、本体を目打ちなどで簡単に貫通し穴を開けることが出来る、その性質をおおいに利用すべく組紐架設金具（６）に先端部（１）を設けた。
【００１２】
組紐架設金具（６）の先端部（１）は組紐（５）の本体の一端を貫通しながら傾斜部（２）により綾組織の隙間を広げつつ組紐保持部（３）の波型部に繊維が食い込み抜け落ちないように保持され、組紐（５）のもう一方の端を引っ張りながら伸ばし反対側の組紐架設金具（６）の先端部（１）に差込み貫通させ組紐保持部（３）で保持させる。
【００１３】
外向きの傾斜部（２）によって貫通しかけた組紐（５）が傾斜方向に対して多少引っ張る状態になりより強く張設できることになる。
【００１４】
台座（７）を木枠に粘着で貼った場合、組紐保持部（３）で保持される組紐（５）の左側仕様は右方向に右側仕様は左方向に引かれる、その張力に対して粘着力を保持するため先端部（１）傾斜部（２）組紐保持部（３）斜め補強部（４）の位置を台座（７）のそれぞれ引かれる方向に移動させた。
【００１５】
組紐（５）の長さ調整は両方の組紐架設金具（６）で張設時、伸ばしきった状態で引っ張りながら架設するため、組紐（５）の長さ以内であればどの位置でも長さの微調整な対応ができることになる。
【００１６】
【発明の効果】
本発明を使用すると、従来の棒で無くても組紐（５）が十分にその役目を果たしてくれる、又、組紐架設金具（６）がコンパクトで食器棚など木枠付きガラス扉（８）の内側の隙間が特に少ない部分にも取付けができ、食器などが雑然と収納された部分を豪華に演出することが容易にできる。
【図面の簡単な説明】
【図１】左側仕様の組紐貫通状態の斜視図
【図２】左側仕様の組紐架設金具の正面図
【図３】右側仕様の組紐架設金具の正面図
【図４】右側仕様の組紐架設金具の右側面図
【符号の説明】
（１）　先端部
（２）　傾斜部
（３）　組紐保持部
（４）　斜め補強部
（５）　組紐
（６）　組紐架設金具
（７）　台座
（８）　木枠付きガラス扉
（９）　カーテン
【図１】
2004073765.tif 000003
【図２】
2004073765.tif 000004
【図３】
2004073765.tif 000005
【図４】
2004073765.tif 000006
(57)【要約】【課題】足の不自由な人、介護が必要な人が椅子に座ったまま容易に湯船につかりたいという願望と介護者の労力を軽減するために、持ち運びができ設備がなくてもどこでも利用できる介護用空気浴槽を提供する。【解決手段】椅子１をプール状の空気袋２の底面に設置し空気を注入口５から入れることによって、縁３が膨らみ深さが高くなるようにして、湯水を入れ湯船につかりたいという願望を容易にできるようにする。【選択図】　図１
2004073766.tif 000002
【特許請求の範囲】
【請求項１】
椅子に座ったまま、プール状の空気袋に空気を入れる事によって、縁の高さが高くなり、その中に湯水を入れることにより浴槽として使用できるようにした介護用空気浴槽。
【発明の詳細な説明】
【０００１】
【発明の属する技術分野】
本発明は、椅子に座ったまま湯水につかる事を解決するために、プール状の空気袋の中に椅子を入れ、足の不自由な人、介護が必要な人を椅子に座らせ、空気袋に空気を入れて浴槽にし、湯水を入れて入浴使用できるようにしたものである。
【０００２】
【従来の技術】
従来は、足の不自由な人、介護が必要な人が椅子に座ったまま、介護者が負担軽減でき高額な設備改築が不要で、持ち運び移動できて入浴ができる浴槽がなかった。
【０００３】
【発明が解決しようとする課題】
一般家庭浴槽に足が不自由な人または介護が必要な人を入浴させるには介護者の負担が多大なもので、満足させるには高額な設備改築が必要になるという難点があった。本発明は、この課題を解消するためになされたものである。
【０００４】
【課題を解決するための手段】
椅子１をプール状の空気袋２の底面に設置し、空気をエアーコンプレッサーで注入口５から入れることによって、縁３が膨らみ深さが高くなるようにした。湯水を入れ、湯につかりたいという願望を容易にできるようにした。また、入浴後に湯水の排水を短時間にする為に排水コック４を装着した。排水後、空気注入口５から空気を抜き、縁３をしぼませるようにした。
【０００５】
【発明の実施の形態】
以下、本発明の実施の形態について説明する。
（イ）．椅子１をプール状の空気袋２の底面に設置する。
（ロ）．空気袋２に注入口５と排水口４を側面下部に取り付ける。
【０００６】
【発明の効果】
足の不自由な人、介護の必要な人が特に寒い時期に湯船につかりたいという願望を椅子１に座らせたまま介護者が注入口５から空気を入れ、完全に膨らんだら湯水を入れるだけで介護者の負担が軽減でき、高額な設備改築が不要でしかも持ち運びができ、一般家庭宿泊及びホテル宿泊でも利用可能となり効果が不自由な人と介護者双方に大きくある。
【図面の簡単な説明】
【図１】本発明の使用状態を示す立面図である。
【図２】本発明の使用状態を示す立面図である。
【図３】本発明の使用状態を示す断面図である。
【図４】本発明の使用状態を示す平面図である。
【符号の説明】
１　椅子
２　空気袋
３　縁
４　排水コック
５　注入口
６　足の不自由な人
【図１】
2004073766.tif 000003
【図２】
2004073766.tif 000004
【図３】
2004073766.tif 000005
【図４】
2004073766.tif 000006
(57)【要約】【目的】蕎麦粉の含有率が高い高品質の蕎麦をも安全に迅速に製造することができる小人数用製麺機を提供することを目的とする。【構成】水とそば粉を撹拌する攪拌手段と、前記撹拌手段により得られた蕎麦練り体をスイッチ操作により自動的に受け入れて押出す押出し手段とで構成される。【選択図】　　　図２
2004073783.tif 000002
【特許請求の範囲】
【請求項１】
水とそば粉を撹拌する攪拌手段と、前記撹拌手段により得られた蕎麦練り体をスイッチ操作により自動的に受け入れて押出す押出し手段とで構成されることを特徴とする小型製麺機。
【請求項２】
前記撹拌手段は撹拌箱と撹拌羽根で構成され、前記押出し手段は前記撹拌羽根と同軸で回転し先端に設けられたノズル部に近づくほどピッチが短く設計されたスクリュー軸と、ノズル部により構成されることを特徴とする特許請求項第１項の小型製麺器。
【請求項３】
前記ノズル部はそれぞれ断面形状の異なる複数の穴を設けることを特徴とする特許請求範囲第１項の小型製麺機。
【発明の詳細な説明】
【０００１】
【産業上の利用分野】本発明は、小人数用の高純度の蕎麦用製麺機に関する。
【０００２】
【従来の技術】麺類のうちでも特に蕎麦粉は水と捏ねても小麦粉のように粘弾性に乏しく、蕎麦粉が多いと非常に切れやすくなる。このため、機械的に製造するためには、通常は小麦粉等のつなぎ材料を加える必要があった。または、細心の注意を払いながら手で打つしかなく、製麺機で機械生産することは困難であった。また、この課題に対しては、特開平８−３８０２６に見られるように麺茹で容器内の熱湯の湯面と蕎麦押出しノズル部の蕎麦排出孔の出口との距離を２０ｃｍ以下になるよう配置することにより解決する方法が提案されている。
【０００３】
【発明が解決しようとする課題】しかしながら特開平８−３８０２６の方法では、大規模な業務用としては可能であるが、家庭用など小人数用では、麺茹で容器内の熱湯の湯面と蕎麦押出しノズル部の蕎麦排出孔の出口との距離を２０ｃｍ以下になるように設置することは、狭い家庭の台所環境では困難であり、また固定が不十分な場合、特に人力では操作時に操作力が製麺機を動かす方向に働き、これにより麺茹で容器をも移動させ、内部の熱湯が飛び散る可能性があるという危険性があるため、小人数用としては使えないという課題があった。また、製麺機に入れる蕎麦練体を事前にそば粉に水を加えて作る必要があったため、練りと製麺の間に時間を要するため、蕎麦練体の乾燥を防ぐことが難しく、すなわち製麺したときに短く切れ易くしたがって連続した蕎麦を製麺するためには麺茹で容器内の熱湯の湯面と蕎麦押出しノズル部の蕎麦排出孔の出口との距離を２０ｃｍ以下になるように設置する必要があった。
【０００４】
本発明は、蕎麦粉の含有率が高い高純度の蕎麦をも機械的に迅速に製造することができる小人数用製麺機を提供することを目的とする。
【０００５】
【課題を解決するための手段】本発明では、水とそば粉を撹拌する攪拌手段と、前記撹拌手段により得られた蕎麦練り体をスイッチ操作により自動的に受け入れて押出す押出し手段を設けることにより、スイッチ操作のみで安全で迅速な高純度のそば製麺を可能とし、従来の製麺機の上記問題点を解決するものである。
【０００６】
【作用】請求項１の構成により、決められた割合でそば粉と水をケースに入れ、スイッッチ操作のみで迅速なそば製麺を可能とし、また各部品の分解も容易なため、後片付けも容易という利点が得られる。
請求項２の構成により、小型化を図ることができる。
請求項３の構成により、種々の断面の蕎麦を混合して製麺することができるため、口に入れたときに手打ちの感触を得ることができる。
【０００７】
【実施例】以下に実施例を説明する。図１は特開平８−３８０２６に開示されている従来例を示す。
【０００８】
図２、図３は本発明の第１の実施例を示す。図２は外観図であり、図３は構成を示す。ベース部１の見えない場所にはモータとギアが組み合わされて駆動穴２を図示の矢印のように回転させる。またベース部１にはスイッチ３が設けられ、撹拌ＯＮとＯＦＦおよび押出しＯＮの３通りの位置を選べるようになっている。撹拌箱４には蓋５が取り外し自由に取り付けられており、前記撹拌箱４の前後には穴が開けられている。攪拌羽根６の軸には軸方向に多角形断面の軸穴が設けられ、多角形断面のスクリュー軸７はフェース板８を通じて前記軸穴に挿入されて撹拌箱４のベース部１側の穴を通して前記駆動穴２に挿入される。これにより攪拌羽根６と一体になり回転する。スクリュー軸７の螺旋形状部分はフェース板８の筒部分に囲まれ、フェース板８の筒部分の先端には多くの穴を持つノズル部９が固定リング１０により取り付けられている。フェース板８は撹拌箱４の他方の穴に勘合される。
次に作動を図によって説明する。撹拌箱４の蓋５を開け、そば粉を入れる。次に蓋５を閉じ、スイッチ３を攪拌側にＯＮとし、攪拌羽根６を回転させながら蓋５にあけられた横長の穴から、適量の水を注ぐ。そば粉と水が十分撹拌され練体ができると、スイッチ３を一旦ＯＦＦとし、モータの動きを止め、次にスイッチ３を押出し側にＯＮとする。これによりモータは逆転し、攪拌羽根６は撹拌箱４の中の練体をスクリュー軸７のスクリュー側に送り、練体は押出し手段の入り口から押出し手段に入り、ピッチが先端に行くほど小さく設計されたスクリュー軸７のスクリューにより次第に圧縮され、最後にノズル部９の穴から押し出される。ノズル部９の穴断面は蕎麦の断面になるため、長方形または正方形の断面に設計されている。押し出された蕎麦は、下で受け止められ、貯まった蕎麦は、麺茹で器に運ばれ茹でられる。
図４はノズル部の実施例を示す。ノズル部９の穴は１．６ｍｍ×１．６ｍｍの正方形断面の穴１１と１．６ｍｍ×３．２ｍｍの長方形断面の穴１２を持つ。
図４の実施例の他、前記寸法近辺の寸法を持つ穴に加えて、更に横長断面の穴を加えてもよい。
以上は、そば粉と水を用いた例を示したが、そば粉と薬粉と水またはそば粉と薬液を用いて薬膳蕎麦を作ることも容易にできる。さらにそば粉と牛乳などを用いた蕎麦を作ることもできる。
【０００９】
【発明の効果】本発明の、水とそば粉を撹拌する攪拌手段と、前記撹拌手段により得られた蕎麦練り体をスイッチ操作により自動的に受け入れて押出す押出し手段とを設けることにより１００％の蕎麦まで製麺できる安全な自動小人数用製麺機を提供することができるという効果がある。
【図面の簡単な説明】
【図１】従来例
【図２】本発明の第１の実施例外観図
【図３】本発明の第１の実施例構構成図
【図４】本発明のノズル部を示す
【符号の説明】
１　　ベース部
２　　駆動穴
３　　スイッチ
４　　撹拌箱
５　　蓋
６　　攪拌羽根
７　　スクリュー軸
８　　フェース板
９　　ノズル部
１０　固定リング
１１、１２　ノズル部の穴
【図１】
2004073783.tif 000003
【図２】
2004073783.tif 000004
【図３】
2004073783.tif 000005
【図４】
2004073783.tif 000006
(57)【要約】【課題】利用に際して十分良い衛生状態が保たれ、食中毒の原因となる危険性が無い杓文字を提供するものである。【解決手段】光を吸収して触媒反応を起こす光触媒としてよく用いられる酸化物半導体の二酸化チタンをその構成材料の一部あるいは全部として用い抗菌性を具備する杓文字を構成する。【選択図】図１
2004073782.tif 000002
【特許請求の範囲】
【請求項１】
握り部とすくい部とからなる杓文字において、前記握り部と前記すくい部のどちらか一方かあるいは両方で、それぞれの表面あるいは表面及び内部の全体を抗菌性を具備する材料で構成することを特徴とする杓文字。
【請求項２】
前記杓文字において、前記抗菌性を具備する材料として酸化チタン光触媒かあるいは酸化チタン光触媒を含有した素材を用いたことを特徴とする請求項１記載の杓文字。
【発明の詳細な説明】
【０００１】
【発明の属する利用分野】
本発明は、米飯等をすくいとる杓文字に関するものである。
【０００２】
【従来の技術】
従来の杓文字には十分な抗菌性を具備する杓文字が無く、保管時に杓文字表面に発生した細菌等の微生物の発生と繁殖を抑制することができず、さらには使用された杓文字には米飯等のこびり付きが起こり易くその米飯等のこびり付きが細菌等の微生物の発生と繁殖を加速することが多く、利用に際して衛生状態が不十分であり、食中毒の原因にも成りうる衛生状態であった。
【０００３】
【発明が解決しようとする課題】
そこで、本発明の目的は利用に際して十分良い衛生状態が保たれ、食中毒の原因となる危険性が無い杓文字を提供することにある。
【０００４】
【課題を解決するための手段】
上記課題を解決するために本発明では、光を吸収して触媒反応を起こす光触媒としてよく用いられる酸化物半導体の二酸化チタンをその構成材料の一部あるいは全部として用い抗菌性を具備する杓文字を構成する。
この二酸化チタン光触媒は空気中の酸素や水から活性酸素と呼ばれる物質を生成する。
この活性酸素には、その強い酸化力によって、表面に付着した種々の有機物を分解し細菌を殺し臭いを分解する作用がある。
本発明では保管時あるいは利用時に細菌等の微生物の発生と繁殖が抑制され、十分良い衛生状態に保たれる杓文字を提供する一手段として、この様な特徴を具備する二酸化チタン光触媒を杓文字の構成材料の全部あるいは一部として用いることを課題解決の手段としている。
【０００５】
【発明の実施の形態】
【発明の実施の形態】
以下に、この発明の実施の形態１を図に基づいて説明する。
図１、図２は本発明の杓文字の実施の形態１を示す説明図である。
図１、図２は本発明の概観及び要部断面構造を明示した説明図である。
図１、図２において、１は米飯等をすくい取るすくい部、２は取扱いの際に人の手等で保持する握り部、３は要部断面、４は表層、５は芯部である。
本発明の杓文字においては、図１にある様に、全体外観的には従来の杓文字と同様であるが、前記抗菌性を具備する材料として、二酸化チタン光触媒が含有されている可塑性樹脂等か、あるいは全部が二酸化チタン光触媒を用いている。
この二酸化チタンは光が当たると、荷電子帯にある電子が、伝導帯に励起され、これにより荷電子帯には正孔が生成し、伝導体には電子が生成する。これらは、活性が高く表面で、荷電子帯側では酸化反応が、伝導体側では還元反応が起こる事が知られている。特徴として、酸化チタン光触媒は強い酸化還元力を持ちいろいろな化合物を酸化還元する。こうして、二酸化チタン光触媒は空気中の酸素や水から活性酸素と呼ばれる物質を生成する。この活性酸素には、その強い酸化力によって、表面に付着した種々の有機物を分解し細菌を殺し臭いを分解する作用があることが知られている。
また、図２では、可塑性樹脂かあるいは金属等で形成された前記芯部４の表面に二酸化チタン光触媒が含有されている可塑性樹脂か、あるいは二酸化チタン光触媒を塗布あるいはコーティングなどの手段により表層３として配置している。さらに、図１、図２においては本発明の杓文字の全ての表面に酸化チタン光触媒かあるいは酸化チタン光触媒を含有した素材を配置したが、必ずしも杓文字の全ての表面に配置される必要は無く利用される状況により適切な部位の表面に酸化チタン光触媒かあるいは少なくとも酸化チタン光触媒を含有した素材を配置することによりそれに応じた効果が得られることは言うまでもない。
通常従来の杓文字においては、洗浄後の保管において細菌等の微生物の発生と繁殖が避け難かったが、本発明の実施例においては、光を浴びる環境で保管されれば二酸化チタン光触媒により表面に付着した有機物が分解され細菌等の微生物を殺すことが可能であり細菌等の発生と繁殖が抑制される。また、取扱いの際に人の手等で握り部２を保持するが、人の手は細菌が非常に多く、こうして取り扱うだけで、杓文字の握り部２は細菌等の微生物で汚染される。ところが、本発明の実施例においては、こうして取扱っても使用の合間には通常光を浴びる環境で使用されるので二酸化チタン光触媒により表面に付着した有機物が分解され細菌等の微生物を殺すことが可能であり細菌等の発生と繁殖が抑制される。
さらには、杓文字のすくい部１では、米飯等をすくって使用する際に使用後に米飯等がこびり付き放置されることが多い。このとき、米飯等がこびり付いた部位で細菌等の発生と繁殖が起こりがちであるが、本発明の実施例においては、通常光を浴びる環境で使用されるので二酸化チタン光触媒により表面に付着した有機物が分解され細菌等の微生物を殺すことが可能であり細菌等の発生と繁殖が抑制される。
結果として本発明では保管時あるいは利用時に細菌等の微生物の発生と繁殖が抑制され、十分良い衛生状態に保たれることが可能である杓文字を提供している。
【０００６】
【発明の効果】
以上の様に、本発明では二酸化チタン光触媒をその構成材料の一部あるいは全部として用いて杓文字を構成することにより、当該の杓文字の表面に付着した有機物が分解され細菌等の微生物を殺すことが可能であり細菌等の発生と繁殖が抑制される。
結果として本発明では保管時あるいは利用時に杓文字表面において細菌等の微生物の発生と繁殖が抑制され、十分良い衛生状態に保たれるという効果がある。
【図面の簡単な説明】
【図１】本発明の杓文字の概観及び要部断面構造を明示した説明図である。
【図２】本発明の杓文字の概観及び要部断面構造を明示した説明図である。
【符号の説明】
１は米飯等をすくい取るすくい部、
２は取扱いの際に人の手等で保持する握り、
３は要部断面、
４は表層、
５は芯部
【図１】
2004073782.tif 000003
【図２】
2004073782.tif 000004
(57)【要約】【課題】従来の湿布薬をより効果的な物にする為にシートの上に縦、横、碁盤の目の模様を設ける事を提供する。【解決手段】従来の湿布シート（１）の上に縦、横、碁盤の目の模様（２）を設けることを特徴とする。【選択図】図１
2004073789.tif 000002
【特許請求の範囲】
【請求項１】
いろいろな種類の湿布薬がありますがこの従来の湿布シート（１）の上に縦、横、碁盤の目の模様（２）を設けることによって治療の効果を高めたもの。
シートの形は長方形でなければならない。
【請求項２】
より効果的な使用法は、例えば、左肩に痛みがある場合、その部分に、横長く貼るか縦長く貼るかが大事で、シートのフイルムをはがす前に、そこへ当ててみて、楽である方を選んで貼り、そこに横長くシートを貼るとしたら、左右対照となる右肩の部分には、縦長にシートを貼る。又痛みのある左肩に縦長にシートを貼れば、右肩には横長く貼る。
【発明の詳細な説明】
【０００１】
【発明の属する技術分野】
この発明はいろいろな種類の湿布薬がありますが従来の湿布シート（１）の上に縦、横碁盤の目の模様（２）を設ける事によって治療の効果を上げるものである。
湿布シートの形は長方形でなければならない。
痛みのある部分にだけ貼っても良いが、より効果的にする為使用上の工夫を施しました。
【０００２】
【従来の技術】
シートは無地であり模様で治療するという考えがない。
【０００３】
【発明が解決しようとする課題】
（イ）従来の湿布シートは、一時的に気持ちはいいが治療の効能はすくない。
本発明は以上のような欠点を少しでも良いものに出きないかと、考えついたも
のである。
【０００４】
【課題を解決するためめの手段】
いろいろな種類の湿布薬がありますが、従来の湿布シート（１）の上に縦、横、碁盤の目の模様（２）を設けることにより治療効果を高めたもの。
シートの形は長方形でなければならない。
本発明は、以上の様な構成よりなる模様付き湿布シートである。
この模様つき湿布シートは，痛みのある部分に貼るだけでも、良いがより効果を上げる為、貼り方に工夫を施しました。
その工夫は例えば、左肩に痛みがある場合、その部分に横長く貼るか、縦長く貼るかが大事で、シートのフイルムをはがす前にそこへ当ててみて、楽である方を選んで貼り、そこに、横長くシートを貼るとしたら左右対照となる右肩の部分には、縦長にシートを貼れば良い。
又左肩の痛みがある部分に、縦長くシートを貼れば，右肩には、横長く貼れば良い。
【０００５】
【発明の実施の形態】
以下、本発明の実施の形態について説明する。
従来の湿布シート（１）の上に縦、横、碁盤の目の模様（２）を設ける。
シートの形は、長方形でなければならない。
本発明は、以上の様な構造でこれを使用する時は、痛みのある部分に、貼るのもいいが、より効果的に貼る為、例えば、左肩が痛い場合その部分に、横長く貼るか縦長く貼るかが大事で、シートのフイルムをはがす前にそこへ当ててみて楽である方を選んで貼り、そこに横長く貼るとしたら、左右、対照となる右肩の部分には、縦長にシートを貼れば良い。又、痛みのある左肩に縦長く貼れば右肩には横長く貼ればいい。
【０００６】
【発明の効果】
縦，横、碁盤の目の模様を直接肌につけなくても効果があるのでいろいろある従来の湿布シートの上に設けることによって、より良い効果がプラスされるものである。
この形状は、直接肌につけなくても効くという利点があるので、他にも利用できる。
【図面の簡単な説明】
【図１】本発明の正面図である。
【図２】本発明の断面図である。
【符号の説明】
１従来の湿布シート
２縦，横、碁盤の目の模様
【図１】
2004073789.tif 000003
【図２】
2004073789.tif 000004